(57)【要約】【課題】集音装置などに用いるのに適したイヤホンマイクと、このようなイヤホンマイクを用いた集音装置を提供する。【解決手段】イヤホンマイク１０は、イヤホン１２と、イヤホンを集音器のジャックに接続するためのプラグ２２と、イヤホン１２とプラグ２２とを接続するためのコード１６と、プラグ２２と一体的に形成され、集音口がプラグの延びる向きと反対側に形成されるマイク３０とを含む。プラグ２２を集音装置４０の集音器４２に形成されたジャックに挿入することにより、集音器４２の近傍で集音することができるため、集音装置４０の利用者の音声よりも話し相手の音声を集音しやすくなる。【選択図】図１
2015033000.tif 000002
【特許請求の範囲】
【請求項１】
イヤホンと、前記イヤホンを集音器のジャックに接続するためのプラグと、前記イヤホンと前記プラグとを接続するためのコードと、前記プラグと一体的に形成され、集音口が前記プラグの延びる向きと反対側に形成されるマイクとを含む、イヤホンマイク。
【請求項２】
請求項１に記載の前記イヤホンマイクの前記プラグが前記集音器の前記ジャックに接続された集音装置であって、
前記ジャックにおける複数の接続部に接触する前記プラグの複数の接触部のうち、前記イヤホンの一方の端子に接続される前記プラグの前記接触部が前記プラグの根元部分に配置され、前記イヤホンの一方の端子に接続された前記プラグの根元部分の前記接触部が接触する前記ジャックの接続部が前記ジャックの開口部側に配置された、集音装置。
【請求項３】
前記マイクで集めた音を増幅するための増幅回路を含み、前記増幅回路の増幅度を切り換えるための切換えスイッチが形成された、請求項２に記載の集音装置。
【請求項４】
前記増幅回路の増幅度を徐々に変化させるための音量調整器が形成された、請求項３に記載の集音装置。
【発明の詳細な説明】
【技術分野】
【０００１】
この発明は、イヤホンマイクおよびそれを用いた集音装置に関し、特にたとえば、難聴者が用いる集音装置用のイヤホンマイクと、それを用いた集音装置に関する。
【背景技術】
【０００２】
イヤホンマイクとしては、例えば、図７に示すように、耳孔挿入型のイヤフォン部１とマイクロフォン部２とが連結部３によって一体化したものがあった（特許文献１参照）。さらに、図８に示すように、イヤホン４とマイクロホン５と入出力ジャック６とが離れて形成され、これらをケーブル７で接続して、イヤホン４と入出力ジャック６との間にマイクロホン５が配置されたものがあった（特許文献２参照）。
【先行技術文献】
【特許文献】
【０００３】
【特許文献１】特開平１１−３５５８７２号公報
【特許文献２】特許第３８１５８８８号公報
【発明の概要】
【発明が解決しようとする課題】
【０００４】
これらのイヤホンマイクは、たとえば、携帯電話やスマートフォンなどに接続され、イヤホンマイクを装着した人の発する音声を集音しやすい構造となっている。そのため、これらのイヤホンマイクを装着することにより、ハンズフリーで通話を行うのに適している。
【０００５】
しかしながら、難聴者などが用いる集音装置などにおいては、イヤホンマイクの装着者の音声よりも、話し相手の音声を集音することのほうが重要である。そのため、イヤホンマイクを装着したとき、マイクは装着者の口から離れた位置に配置されることが好ましい。また、イヤホンとマイクとが離れていれば、ハウリングなどの発生を抑えることができる。
【０００６】
それゆえに、この発明の主たる目的は、集音装置などに用いるのに適したイヤホンマイクと、このようなイヤホンマイクを用いた集音装置を提供することである。
【課題を解決するための手段】
【０００７】
この発明は、イヤホンと、イヤホンを集音器のジャックに接続するためのプラグと、イヤホンとプラグとを接続するためのコードと、プラグと一体的に形成され、集音口がプラグの延びる向きと反対側に形成されるマイクとを含む、イヤホンマイクである。
イヤホンを耳に装着し、プラグを集音器のジャックに接続したとき、集音器側にマイクが配置される。そのため、集音器を机上に置いたり、衣服のポケットに入れたりしたときに、話し相手の音声を集音しやすくなる。しかも、イヤホンとマイクとが離れることにより、ハウリングの発生を抑えることができる。ここで、マイクの集音口がプラグの延びる向きと反対側に形成されることにより、プラグを集音器のジャックに挿入したときに、マイクの集音口が集音器の外側に向かって開口するように配置される。したがって、話し相手の音声を集音しやすくなる。
【０００８】
また、この発明は、上述のイヤホンマイクのプラグが集音器のジャックに接続された集音装置であって、ジャックにおける複数の接続部に接触するプラグの複数の接触部のうち、イヤホンの一方の端子に接続されるプラグの接触部がプラグの根元部分に配置され、イヤホンの一方の端子に接続されたプラグの根元部分の接触部が接触するジャックの接続部がジャックの開口部側に配置された、集音装置である。
イヤホンの一方の端子に接続されたプラグの根元部分にある接触部が、ジャックの開口部側に配置された接続部に接触するため、プラグをジャックから抜くときに、イヤホンの端子が最初に集音器から切り離される。したがって、イヤホンに音声信号が流れず、プラグをジャックから抜くときに、イヤホンから不快な音が出力されることが防止される。
【０００９】
このような集音装置において、マイクで集めた音を増幅するための増幅回路を含み、増幅回路の増幅度を切り換えるための切換えスイッチが形成されることが好ましい。
増幅回路の切換えスイッチを切り換えることにより、増幅度が切り換わり、利用者が必要とする増幅度を得ることができる。
【００１０】
また、増幅回路の増幅度を徐々に変化させるための音量調整器が形成されることが好ましい。
音量調整器を調整することにより、イヤホンから出力される音量の微調整を行うことができる。
【発明の効果】
【００１１】
この発明によれば、話し相手の音声を集音するのに適した集音装置用のイヤホンマイクを得ることができ、このイヤホンマイクを使用することにより、使いやすい集音装置を得ることができる。
【００１２】
この発明の上述の目的、その他の目的、特徴および利点は、図面を参照して行う以下の発明を実施するための形態の説明から一層明らかとなろう。
【図面の簡単な説明】
【００１３】
【図１】この発明のイヤホンマイクの一例を示す図解図である。
【図２】図１に示すイヤホンマイクのベースを一方面側からみた状態を示す図解図である。
【図３】図１に示すイヤホンマイクのプラグとマイクおよび発音体との接続を示す図解図である。
【図４】図１に示すイヤホンマイクを集音器に装着した集音装置の一例を示す図解図である。
【図５】図３に示すプラグが挿入されるジャックの各接続部の配置を示す図解図である。
【図６】図４に示す集音装置に用いられる増幅回路の一例を示す図解図である。
【図７】従来のイヤホマイクの一例を示す図解図である。
【図８】従来のイヤホンマイクの他の例を示す図解図である。
【発明を実施するための形態】
【００１４】
図１は、この発明のイヤホンマイクの一例を示す図解図である。イヤホンマイク１０は、イヤホン１２を含む。イヤホン１２は、例えば、発音部１２ａと装着部１２ｂとを含む。発音部１２ａは、例えば、合成樹脂材で形成された中空状のケース部１４を含む。ケース部１４は、外観が円錐台形状の発音体収納部１４ａを含み、その内部に振動体などの発音体（図示せず）が収納される。発音体には、音声信号を送るためのコード１６が接続され、発音体収納部１４ａの側部から外部に引き出される。ここで、発音体収納部１４ａからのコード１６の出口部分に、合成樹脂などで形成された保護筒体１８を形成し、この保護筒体１８内にコード１６を通すことにより、コード１６の急激な折れ曲がりを防ぐことができる。
【００１５】
また、ケース部１４は、発音体収納部１４ａの大径部側に続いて形成される音声伝導部１４ｂを含む。音声伝導部１４ｂは、発音体収納部１４ａの大径部側から直径が小さくなるように形成され、その先端部に筒状部２０が形成される。したがって、発音体で生じた音声は、音声伝導部１４ｂの筒状部２０から外部に伝導される。
【００１６】
ケース部１４の筒状部２０には、装着部１２ｂが取り付けられる。装着部１２ｂは、比較的柔らかい合成樹脂などで、釣鐘状に形成される。装着部１２ｂには、釣鐘状の軸方向に貫通孔が形成され、装着部１２ｂの大径部側が音声伝導部１４ｂの筒状部２０に嵌め込まれる。したがって、イヤホン１２を耳に装着する際には、装着部１２ｂの小径側である先端部側が耳に挿入されるため、イヤホン１２の装着が容易である。また、イヤホン１２の装着時には、装着部１２ｂの大径部側が耳介部分に位置するため、イヤホン１２が外れにくい。
【００１７】
イヤホン１２に接続されたコード１６は、プラグ２２に接続される。プラグ２２は、例えば円柱状のベース２４から延びるように形成される。コード１６の長さは、ハウリングを発生させない長さをイヤホン１２と後述のマイクとの間に保つような長さに形成される。プラグ２２としては、例えば、３．５ｍｍミニプラグなどの所定の規格の形状および大きさを有するものが使用されるが、規格外の形状および大きさを有するものであってもよい。プラグ２２には、その先端側から、導電材料で形成されたチップ２２ａ、第１リング２２ｂ、第２リング２２ｃ、スリーブ２２ｄが順に形成されている。なお、チップ２２ａと第１リング２２ｂとの間、第１リング２２ｂと第２リング２２ｃとの間、第２リング２２ｃとスリーブ２２ｄとの間には、絶縁部２６が形成され、チップ２２ａ、第１リング２２ｂ、第２リング２２ｃ、スリーブ２２ｄは、それぞれ電気的に独立している。第１リング２２ｂ、第２リング２２ｃ、スリーブ２２ｄは同径となるように形成される。また、チップ２２ａは、第１リング２２ｂ側が小径に形成され、先端側に向かって徐々に大径となるように傾斜して形成され、さらに先端部が略円錐状に形成される。
【００１８】
さらに、プラグ２２のベース２４内には、マイク（図示せず）が収納される。ベース２４には、図２に示すように、プラグ２２が延びる向きの反対側に、複数の小さい集音孔２８が形成される。集音孔２８から取り込んだ音声は、マイクによって電気信号に変換される。さらに、ベース２４には、イヤホン１２から延びるコード１６が接続される。この場合においても、コード１６の折り曲げ防止用の保護筒体１８がベース２４に取り付けられる。コード１６は、ベース２４の長手方向の略中央部において、ベース２４の側壁に略直交するように取り付けられる。
【００１９】
ベース２４内においては、イヤホン１２内の発音体から引き出されたコード１６およびベース２４内のマイクの端子が、プラグ２２に接続される。この場合、図３に示すように、ベース２４内のマイク３０の２つの端子が、プラグ２２のチップ２２ａおよび第１リング２２ｂに接続される。また、イヤホン１２内の発音体３２の２つの端子が、コード１６によってプラグ２２の第２リング２２ｃおよびスリーブ２２ｄに接続される。
【００２０】
なお、イヤホン１２内の発音体３２の２つの端子のうちの一方がプラグ２２のスリーブ２２ｄに接続されていれば、発音体３２の２つの端子のうちの他方およびマイク３０の２つの端子は、プラグ２２のスリープ２２ｄ以外のどの導体部分に接続されていてもよい。
【００２１】
このイヤホンマイク１０は、例えば、図４に示すような集音装置４０に使用される。集音装置４０は、集音器４２を含む。図４では、集音器４２は略矩形の箱型に形成されており、長手方向の略中央部に段差部が形成されているが、このような段差部はデザイン上の造形であり、集音器４２の形状は任意に変更可能である。
【００２２】
集音器４２には、例えば図５に示すような増幅回路４４が形成され、増幅回路４４にイヤホンマイク１０のプラグ２２を接続するためのジャック４６が接続される。ジャック４６は、例えば、集音器４２の上側端部に形成される。したがって、プラグ２２は、集音器４２の長手方向の一端側の端部においてジャック４６に挿入される。したがって、集音器４２を衣服のポケットなどに入れたときに、プラグ２２を保持するベース２４が集音器４２の長手方向に延び、ポケット内に納まりやすい形状となる。また、ベース２４の側壁に対して直交するように形成されたコード１６は、集音器４２の端部と略平行に引き出されるため、デザイン的にも優れたものとなる。
【００２３】
ジャック４６は、図５に示すように、プラグ２２が挿入されたとき、プラグ２２のチップ２２ａが接触する第１の接続部４８ａ、プラグ２２の第１リング２２ｂが接触する第２の接続部４８ｂ、プラグ２２の第２リング２２ｃが接触する第３の接続部４８ｃ、プラグ２２のスリーブ２２ｄが接触する第４の接続部４８ｄを含む。第１の接続部４８ａ、第２の接続部４８ｂ、第３の接続部４８ｃ、第４の接続部４８ｄは、ジャック４６の深部から開口部に向かって、この順序で形成される。第１の接続部４８ａ、第２の接続部４８ｂ、第３の接続部４８ｃ、第４の接続部４８ｄは、開口部から深部に向けてベース２４の長手方向に並んで設けられており、プラグ２２は、ベース２４の長手方向に延びるように連結される。したがって、プラグ２２の根元側にあるスリーブ２２ｄとジャック４６の第４の接続部４８ｄとが、必ずジャック４６の開口部側において接続される。スリーブ２２ｄの形状は、第４の接触部４８ｄと接触して電気的に接続される長さを備えていればよく、プラグ２２をジャック４６から抜いたとき、離脱しやすい形状であることを要する。つまり、プラグ２２をジャック４６から抜いたとき、イヤホン１２の発音体３２の２つの端子のどちらか一方が最初に増幅回路４４から切り離されるように形成される。
【００２４】
この増幅回路４４では、マイク３０から送られてきた信号が増幅され、イヤホン１２の発音体３２に増幅信号が送られて、再び音声に変換される。したがって、話し相手の音声をマイク３０で集音し、増幅回路４４で増幅されて、集音装置４０の利用者の聴覚に合わせた音量で話し相手の音声を聞くことができる。
【００２５】
集音装置４０の集音器４２には、電源スイッチ５０が形成される。図４に示す集音装置４０の場合、集音器４２の表面の右下部分に電源スイッチ５０が形成されている。増幅回路４４は、例えば、電池で駆動されるが、電源スイッチ５０を操作することにより、増幅回路４４への電力の供給を制御することができる。
【００２６】
また、集音装置４０の利用者の聴覚に合わせて、図６に示すように、増幅回路４４の増幅度を切り換えるための切換えスイッチ５２が設けられてもよい。この切換えスイッチ５２を切り換えることにより、増幅回路４４の増幅度を所定のステップで変更することができる。切換えスイッチ５２は、集音装置４０の利用者の聴覚の程度に合わせて、大きいステップで増幅度を切り換える場合に用いられる。切換えスイッチ５２は、利用者の聴覚に合わせた後に切り換えることは少ないため、必ずしも集音器４２の外面に形成する必要はなく、例えば、集音器４２の裏蓋の内部に形成されてもよい。
【００２７】
さらに、集音装置４０の利用者に合わせて、音量を微調整するための音量調整器５４が形成される。音量調整器５４は、たとえば可変抵抗器などで形成することができる。図４に示す集音装置４０の場合、集音器４２の側面に露出する回転ダイヤルとして、音量調整器５４を形成することができる。なお、音量調整器５４の近傍に、たとえば音量調整幅が１０段階程度ある場合に、どれくらいの段階に音量調整器５４が設定されているかを示す表示窓５６が形成されてもよい。したがって、切換えスイッチ５２で利用者に適する大体の音量を調整し、音量調整器５４で音量の微調整を行うことができる。
【００２８】
また、集音装置４０には、音声モード切換えスイッチ５８が設けられてもよい。音声モード切換えスイッチ５８は、発音体３２で発生する音声の周波数特性を切り換えるためのものであり、集音装置４０の利用者が聞き取りやすい音声の調整をするためのものである。図４に示す集音装置４０では、集音器４２の表面の左上部分に、音声モード切換えスイッチ５８が設けられている。
【００２９】
この集音装置４０では、集音器４２のジャック４６にイヤホンマイク１０のプラグ２２を挿入することにより、イヤホンマイク１０のマイク３０と発音体３２とが、増幅回路４４に接続される。ここで、イヤホンマイク１０のベース２４にプラグ２２とマイク３０とが形成されているため、集音装置４０の集音器４２の近傍において、話し相手の音声が集音される。したがって、イヤホンの近傍にマイクが形成されていたり、イヤホンとプラグとの間にマイクが形成されている場合に比べて、集音装置１０の利用者の音声よりも話し相手の音声を集音しやすくなっている。そのため、難聴者が使用する集音装置４０にこのイヤホンマイク１０を使用することにより、集音装置４０の目的をより効果的に達成することができる。
【００３０】
また、イヤホンマイク１０のベース２４からプラグ２２が延びる向きの反対側に、マイク３０で集音するための集音孔２８が形成されているため、プラグ２２を集音器４２のジャック４６に挿入したとき、集音孔２８は、必ず集音器４２の外側に向かって開口している。そのため、外部の音声をマイク３０で集音して電気信号に変換しやすく、集音装置４０の集音器４２を衣服のポケットに入れたり、机上に置いていたりしても、外部の音声を効率よく集音することができる。さらに、イヤホン１２内の発音体３２とベース２４内のマイク３０とが離れた位置にあるため、音量を大きくしても、ハウリングが発生しにくい。なお、マイク３０の振動体は、通常、プラグ２２が延びる向きに対して直交する向きに配置されるため、ベース２４の側壁に貫通孔を形成するよりも、プラグ２２が延びる向きの反対側に形成された集音孔２８で集音した音声により、マイク３０の振動体を効率よく動作させることができる。そのため、プラグ２２が延びる向きの反対側に集音孔２８を形成することが好ましい。
【００３１】
さらに、ジャック４６の開口部側において、プラグ２２のスリーブ２２ｄとジャック４６の第４の接続部４８ｄとが接触している。プラグ２２のスリーブ２２ｄには、イヤホン１２の発音体３２の一方の端子が接続されているため、プラグ２２をジャック４６から抜くと、発音体３２の一方の端子が最初に増幅回路４４から切り離される。そのため、プラグ２２をジャック４６から抜くときに、プラグ２２のチップ２２ａ、第１リング２２ｂ、第２リング２２ｃなどがジャック４６の各接続部４８ａ，４８ｂ，４８ｃ，４８ｄなどと接触しても、発音体３２に電流が流れることはない。したがって、イヤホン１２を耳に装着したままプラグ２２をジャック４６から抜いた場合でも、雑音が聞こえることはない。
【００３２】
このように、この発明のイヤホンマイクは、集音装置に用いることにより、その効果を発揮することができ、良好な特性を有する集音装置を得ることができる。
【符号の説明】
【００３３】
１０  イヤホンマイク
１２  イヤホン
１４  ケース部
１６  コード
１８  保護筒体
２０  筒状部
２２  プラグ
２４  ベース
２８  集音孔
３０  マイク
３２  発音体
４０  集音装置
４２  集音器
４４  増幅回路
４６  ジャック
５０  電源スイッチ
５２  切換えスイッチ
５４  音量調整器
５６  表示窓
５８  音声モード切換えスイッチ
【図１】
2015033000.tif 000003
【図２】
2015033000.tif 000004
【図３】
2015033000.tif 000005
【図４】
2015033000.tif 000006
【図５】
2015033000.tif 000007
【図６】
2015033000.tif 000008
【図７】
2015033000.tif 000009
【図８】
2015033000.tif 000010